(57)【要約】      （修正有）【課題】シャツ交換襟の襟台両端がシャツ本体両端接続部から垂れ下がり易く、又、襟台両端がシャツ本体から浮き外観が悪くなることを防止する、接続部材の取付方法を提供する。【解決手段】襟台１５のボタン５又はボタン透孔１より下方で端近傍それぞれにホック凸７を設け、ボタン又はボタン透孔の内側から中央近傍に渡りそれぞれチャック一方片を設け、首周囲帯形状部材の両端近傍それぞれに、ホック凸に相対してホック凹８を設け、それぞれのホック凹内側より中央近傍に渡りチャック他方片を設ける。【選択図】図１
2020190059.tif 000002
【特許請求の範囲】
【請求項１】
襟分離ワイシャツにおいて
ワイシャツ本体首周囲両端に渡る大きさ２片の帯形状部材の一方片を襟台とし他方片を首周囲片とし
襟台上方に襟羽を設け
襟台一側面の一方端近傍にボタンを設け後ろ側とし
他方端近傍にボタン透孔を設け
ボタンより下方でボタンと一方端間の後ろ側にホック凸の凸部を突出して設け
ボタン内側より中央近傍に渡りチャックの箱側片の箱をボタン側にして上方に設け
ボタン透孔より下方でボタン透孔と他方端間の後ろ側にホック凸を後ろ側に凸部を突出して設け
ボタン透孔内側より中央近傍に渡りチャックの箱側片の箱をボタン透孔側にして襟台上方に設け
首周囲片をシャツ本体首周囲両端に渡り設け
首周囲片のシャツ本体前側を前側とし
前記ホック凸それぞれに相対して首周囲片前側の両端近傍にそれぞれホック凹の凹を前側にして設け
前記チャック箱側片それぞれに相対して
チャック差し棒側片の差し棒をボタン側又はボタン透孔側にして首周囲片前側下方に接続することを特徴とする、接続部材の取り付け方法。
【請求項２】
前記襟台の後ろ側全面に覆いを設け、覆いと襟台を挿通してボタン透孔を設けボタンを覆いに設けることを特徴とする、請求項１に記載の接続部材の取り付け方法。
【発明の詳細な説明】
【技術分野】
【０００１】
本発明は、襟分離ワイシャツに設けるジッパーとホックの取付方法に関するものである。
【背景技術】
【０００２】
従来、襟台とシャツ本体の接続部材にボタンを用いて行っていた。
（特許文献１参照）
【特許文献１】特開平８−４９１０１号
【発明の開示】
【発明が解決しようとする課題】
【０００３】
そのために、襟台とシャツ本体がボタンで盛り上がり外観と着用感が悪くなる欠点があった。
【課題を解決するための手段】
【０００４】
請求項１によれば、
襟分離ワイシャツにおいて
ワイシャツ本体首周囲両端に渡る大きさ２片の帯形状部材の一方片を襟台とし他方片を首周囲片とし
襟台上方に襟羽を設け
襟台一側面の一方端近傍にボタンを設け後ろ側とし
他方端近傍にボタン透孔を設け
ボタンより下方でボタンと一方端間の後ろ側にホック凸の凸部を突出して設け
ボタン内側より中央近傍に渡りチャックの箱側片の箱をボタン側にして上方に設け
ボタン透孔より下方でボタン透孔と他方端間の後ろ側にホック凸を後ろ側に凸部を突出して設け
ボタン透孔内側より中央近傍に渡りチャックの箱側片の箱をボタン透孔側にして襟台上方に設け
首周囲片をシャツ本体首周囲両端に渡り設け
首周囲片のシャツ本体前側を前側とし
前記ホック凸それぞれに相対して首周囲片前側の両端近傍にそれぞれホック凹の凹を前側にして設け
前記チャック箱側片それぞれに相対して
チャック差し棒側片の差し棒をボタン側又はボタン透孔側にして首周囲片前側下方に接続することを特徴とする。
請求項２によれば、
前記襟台のボタン側全面に覆いを設け、覆いと襟台を挿通してボタン透孔を設け覆いと襟台を挿通してボタンを覆いに設けることを特徴とする。
【発明の効果】
【０００５】
襟台両端のホックによる接続で厚みが無くなり接続が確実になり外観がよくなる。
襟台とシャツ本体の接続がチャックにより確実になる。
チャックのスライダーが首後ろ中央に位置し着用時の違和感が無くなる。
【発明を実施するための最良の形態】
【０００６】
以下、本発明の実施の形態を図により説明する。
図１（Ａ）は、シャツ本体首周囲Ｃ両端に渡る大きさの帯形状部材１４で構成した襟台１０に、襟羽６を上方に設けた襟台１０を、後ろ側から見た図である。
襟台１０の一方端近傍にボタン５を逢着し、後ろ側Ａとし、他方端近傍にボタン透孔１を設けている。
【０００７】
襟台１０の後ろ側Ａのボタン５より下方でボタン５と端の間にホック凸７の凸部１７を後ろ側Ａに突出して設け
ボタン５の内側より中央近傍に渡りチャック箱側片４の箱２をボタン５側にして上方に設け、このときスライダー３が後ろ側Ａに位置し
ボタン透孔１より下方でボタン透孔１と端の間ににホック凸７の凸部１７を後ろ側Ａに突出して設け
【０００８】
ボタン透孔１の内側より中央近傍に渡りチャック箱側片４の箱２をボタン透孔１側にして襟台１５上方に設けこのときスライダー３が後ろ側Ａに位置し
【０００９】
（Ｂ）は、帯形状部材１４を、シャツ本体１２の首周囲Ｂ両端に渡り設けて、首周囲片１１とし、
前記ホック凸７それぞれに相対して首周囲片１１の前側Ｄの両端近傍にそれぞれホック凹８の凹部１９を前側Ｄにして設け
前記チャック箱側片４それぞれに相対して
チャック差し棒側片１０の差し棒９をボタン５側又はボタン透孔１側にしてそれぞれチャック差し棒側片１０を首周囲片の前側Ｄ下方に設ける。
この時、襟台１５の長手方向の大きさと首周囲片１１の長手方向の大きさは略同一である。
【００１０】
（Ｃ）は、襟台１０後ろ側に覆い１３を設け、襟台１０と覆い１３を貫通してボタン透孔１を設け、ボタン５を覆い１３に設けた図で、又はボタン５を襟台１０と覆い１３を貫通して設けてもよい。
説明の都合上覆い１３を襟台１０より右へずらして描かれているが実際は
覆い１３と襟台１０の両端は略一致して重なるものである。
（Ｄ）は、ホック凸７とホック凹８を示す。
【図面の簡単な説明】
【００１１】
【図１】襟台とシャツ本体首周囲片の接続部材を示す図
【符号の説明】
【００１２】
A、後ろ側
B、首周囲
C、シャツ本体首周囲
D前側
1、ボタン透孔
2、箱
3、スライダー
4、チャック箱側片
5、ボタン
6、襟羽
7、ホック凸
8、ホック凹
9、挿し棒
10、チャック挿し棒側片
11、首周囲片
12、シャツ本体
13、覆い
14、帯形状部材
15、襟台
17、凸部
19、凹部
【図１】
2020190059.tif 000003
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
襟分離ワイシャツにおいて
ワイシャツ本体首周囲両端に渡る大きさの２片の帯形状部材の一方片を襟台とし他方片を首周囲片とし
襟台上方に襟羽を設け
襟台一側面の一方端近傍にボタンを設け ボタンを設けた面を後ろ側とし
他方端近傍にボタン透孔を設け
ボタンより下方でボタンと一方端間の後ろ側にホック凸の凸部を突出して設け
ボタン内側より中央近傍に渡りチャック箱側片の箱をボタン面にして上方に設け
ボタン透孔より下方でボタン透孔と他方端間の後ろ側にホック凸を後ろ側に凸部を突出して設け
ボタン透孔内側より中央近傍に渡りチャック箱側片の箱をボタン透孔側にして襟台上方に設け
首周囲片をシャツ本体首周囲両端に渡り設け
首周囲片の 一方面にホック凸に相対してホック凹を設けてホック凹を設けた面を
シャツ本体前側とし
前記ホック凸それぞれに相対して首周囲片前側の両端近傍にそれぞれホック凹の凹部を前側にして設け
前記チャック箱側片それぞれに相対して
チャック差し棒側片の差し棒をボタン側又はボタン透孔側にして首周囲片前側下方に接続することを特徴とする、接続部材の取り付け方法。
【請求項２】
前記襟台の後ろ側全面に覆いを設け、覆いと襟台を挿通してボタン透孔を設けボタンを覆いに設けることを特徴とする、請求項１
に記載の接続部材の取り付け方法。
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
襟分離ワイシャツにおいて
ワイシャツ本体首周囲両端に渡る大きさの２片の帯形状部材の一方片を襟台とし他方片を首周囲片とし
襟台上方に襟羽を設け
襟台一側面の一方端近傍にボタンを設けボタンを設けた面を後ろ側とし
他方端近傍にボタン透孔を設け
ボタンより下方でボタンと一方端間の後ろ側にホック凸の凸部を突出して設け
襟台の後ろ側上方であってボタンの内側より中央近傍に渡りチャック箱側片を接続し、チャック箱側片の下方のボタン側に箱を設け
ボタン透孔より下方でボタン透孔と他方端間の後ろ側にホック凸を後ろ側に凸部を突出して設け
襟台の後ろ側上方であってボタン透孔の内側より中央近傍に渡りチャック箱側片を接続し,チャック箱側片の下方のボタン透孔側に箱を設け
首周囲片をシャツ本体首周囲両端に渡り設け
首周囲片の一方面にホック凸に相対してホック凹を設けてホック凹を設けた面を
シャツ本体前側とし
前記ホック凸それぞれに相対して首周囲片前側の両端近傍にそれぞれホック凹の凹部を前側にして設け
前記チャック箱側片それぞれに相対して
首周囲片の前側下方にチャック差し棒側片を接続し、チャック差し棒側片の上方のボタン側又はボタン透孔側に差し棒を設けるを特徴とする、接続部材の取り付け方法。
【請求項２】
前記襟台の後ろ側全面に覆いを設け、覆いと襟台を挿通してボタン透孔を設けボタンを襟台に代えて覆いに設けることを特徴とする、請求項１に記載の接続部材の取り付け方法。